(57)【要約】【課題】カードの押し込みに対する強度の高いカードストッパーを備えたカードコネクタを提供する。【解決手段】  カード支持面１１と側壁部１２を有し、ハウジング１０と、ハウジング１０の上側から装着されるシールドカバー３０と、固定コンタクト端子１３と、シールドカバー３０に設けられた可動コンタクト端子３１と、を備え、ノーマルクローズスイッチを構成したカードコネクタ１であって、カード支持面１１の上面の奥側縁部に、奥側壁部１４を設け、シールドカバー３０の奥側縁部に下側に向けて延びるストッパー壁部３３を奥側壁部に重なるように設けたことを特徴とするカードコネクタ１。【選択図】図４
2016081702.tif 000002
【特許請求の範囲】
【請求項１】
カード媒体を支持するカード支持面を有するハウジングと、
前記ハウジングの上側から装着されて前記カード媒体を上側から覆い、カード支持面の横方向の両縁部に下側へ向けて延びるカバー側面部を有し、前記カバー側面部の間にカード媒体が挿入されるシールドカバーと、
前記カード支持面における前記カード媒体の挿入方向の奥側に保持された固定コンタクト端子と、
前記シールドカバーに設けられ、前記固定コンタクト端子に接する可動接点を有し、前記カード媒体に押圧されると、前記カード媒体の挿入方向に弾性変位可能な可動コンタクト端子と、を備え、
前記固定コンタクト端子および前記可動コンタクト端子によりノーマルクローズスイッチを構成したカードコネクタであって、
前記カード支持面の上面の前記奥側の縁部に、前記カード媒体が前記カバー側面部の間に挿入された際に前記可動コンタクト端子を介して近接するよう、上側へ向けて延びる奥側壁部を設け、
前記シールドカバーの前記奥側の縁部に下側に向けて延びるストッパー壁部を前記奥側壁部に重なるように設けたことを特徴とするカードコネクタ。
【請求項２】
前記可動コンタクト端子が前記シールドカバーと一体に形成されたことを特徴とする請求項１に記載のカードコネクタ。
【請求項３】
前記ハウジングは、前記カード支持面の横方向の両縁部に上側へ向けて延びる側壁部を有し、前記側壁部の間にカード媒体が挿入されるよう構成したことを特徴とする請求項１または請求項２のいずれか一項に記載のカードコネクタ。
【請求項４】
前記ストッパー壁部から延設した半田付け部を有し、前記半田付け部が印刷配線基板に半田付けされることを特徴とする請求項１乃至請求項３のいずれか一項に記載のカードコネクタ。
【請求項５】
前記ハウジングは、前記カード媒体に押圧されて前記カード媒体の挿入方向に移動するスライダと、前記スライダを付勢するコイルバネと、前記スライダに形成され前記スライダを所定の位置に保持するロックピンと、前記ロックピンに係合するハートカム溝と、を有することを特徴とする請求項１乃至請求項４のいずれか一項に記載のカードコネクタ。
【発明の詳細な説明】
【技術分野】
【０００１】
本発明は、カードコネクタに関する。
【背景技術】
【０００２】
携帯電話機や情報端末機器等の電子機器に用いるカードコネクタにおいては、カードコネクタに対して挿入されたカードが、カードコネクタ内に設けられた弾性を有するスイッチコンタクト等を押圧し、カードコネクタ内に設けられた端子と接触または非接触の状態とすることでスイッチのオンオフを切り替えるようになっている。
【０００３】
このようなスイッチの例として、カードコネクタのカバーのスイッチコンタクトの変位方向に側壁面を設けた構成が知られている。側壁面はストッパーとして機能し、押圧され変位したスイッチコンタクトがカードコネクタ外部に突出するのを防止するようになっている（例えば特許文献１参照）。
【０００４】
図７および図８に示すように、特許文献１に記載のカードコネクタはベースフレーム１００とカバー５００を備えており、ベースフレーム１００とカバー５００との間に形成されたカード収容部８００にカードを挿入するようになっている。カード収容部８００に挿入されたカードは、第１スイッチ片６１０を押圧し変位させるが、カバー５００に設けられたカード挿入方向奥側の前部５３０がストッパーとして機能し、第１スイッチ片６１０がカードコネクタ外部に突出するのを防止するようになっている。
【先行技術文献】
【特許文献】
【０００５】
【特許文献１】特開２００９−２８９６９９号公報
【発明の概要】
【発明が解決しようとする課題】
【０００６】
しかしながら、上述のカードコネクタは、前部５３０がカバー５００をなす金属薄板を折り曲げただけで形成されているため、その強度が必ずしも十分ではなく、カードが強く押し込まれた場合に、前部５３０が押圧力によって変形して、ストッパーとしての機能を果たさず、カード媒体がカードコネクタの外部へ突出してしまい、その結果、カードコネクタが破壊に至ることがあるという課題があった。
【０００７】
そこで、本発明は、上述した課題を解決するためになされたものであり、カードの押し込みに対する強度の高いカードストッパーを備えた、カード媒体がカードコネクタに外部へ突出することを確実に防止できるカードコネクタを提供することを目的とする。
【課題を解決するための手段】
【０００８】
本発明に係るカードコネクタは、上記目的を達成するため、カード媒体を支持するカード支持面を有するハウジングと、前記ハウジングの上側から装着されて前記カード媒体を上側から覆い、カード支持面の横方向の両縁部に下側へ向けて延びるカバー側面部を有し、前記カバー側面部の間にカード媒体が挿入されるシールドカバーと、前記カード支持面における前記カード媒体の挿入方向の奥側に保持された固定コンタクト端子と、前記シールドカバーに設けられ、前記固定コンタクト端子に接する可動接点を有し、前記カード媒体に押圧されると、前記カード媒体の挿入方向に弾性変位可能な可動コンタクト端子と、を備え、前記固定コンタクト端子および前記可動コンタクト端子によりノーマルクローズスイッチを構成したカードコネクタであって、前記カード支持面の上面の前記奥側の縁部に、前記カード媒体が前記カバー側面部の間に挿入された際に前記可動コンタクト端子を介して近接するよう、上側へ向けて延びる奥側壁部を設け、前記シールドカバーの前記奥側の縁部に下側に向けて延びるストッパー壁部を前記奥側壁部に重なるように設けた構成としている。
【０００９】
この構成により、本発明に係るカードコネクタは、カード支持面の上面の奥側縁部に上側に延びる奥側壁部を設け、シールドカバーの奥側の縁部に下側に向けて延びるストッパー壁部が奥側壁部に重なるように設けたことで、この部分の強度が向上するので、カバー側面部の間にカード媒体が挿入され、カード支持面の奥側の縁部まで可動コンタクト端子を強く押圧した場合に奥側壁部が変形せず、挿入されたカード媒体がカードコネクタから突出することを確実に防止できる。
【００１０】
また、この構成により、本発明に係るカードコネクタは、可動コンタクト端子と奥側壁部との間の干渉の程度を適宜変動することで、可動コンタクト端子のばねスパンを容易に調整することができるので、所望する可動コンタクト端子の弾性特性を得るための設計自由度を向上させることができる。
【００１１】
上述した構成のカードコネクタにおいて、前記可動コンタクト端子が前記シールドカバーと一体に形成されている構成としてもよい。
【００１２】
この構成により、本発明に係るカードコネクタは、可動コンタクト端子がシールドカバーと一体に形成されているので部品点数を少なくすることができ、材料、金型、組立てに要するコストを削減できる。
【００１３】
上述した構成のカードコネクタにおいて、前記ハウジングは、前記カード支持面の横方向の両縁部に上側へ向けて延びる側壁部を有し、前記側壁部の間にカード媒体が挿入されるよう構成してもよい。
【００１４】
この構成により、本発明に係るカードコネクタは、シールドカバーのカバー側面部に加えて、ハウジングの側壁部によってもカード媒体が横方向に保持されるので、カード媒体を確実に保持することができる。
【００１５】
上述した構成のカードコネクタにおいて、前記ストッパー壁部から延設した半田付け部を有し、前記半田付け部が印刷配線基板に半田付けされる構成としてもよい。
【００１６】
この構成により、本発明に係るカードコネクタは、ストッパー壁部から延設した半田付け部が印刷配線基板に半田付けされるので、カードコネクタの破壊強度をさらに向上させることができる。
【００１７】
上述した構成のカードコネクタにおいて、前記ハウジングは、前記カード媒体に押圧されて前記カード媒体の挿入方向に移動するスライダと、前記スライダを付勢するコイルバネと、前記スライダに形成され前記スライダを所定の位置に保持するロックピンと、前記ロックピンに係合するハートカム溝とを有する構成としてもよい。
【００１８】
この構成により、本発明に係るカードコネクタは、ハウジングがハートカム溝を有しておりロックピンに係合するので、カード媒体が挿入された状態で確実にハウジングがカード媒体を保持することができる。
【発明の効果】
【００１９】
本発明によれば、カードの押し込みに対する強度の高いカードストッパーを備えたカードコネクタを提供することができる。
【図面の簡単な説明】
【００２０】
【図１】本発明の実施の形態に係るカードコネクタの斜視図である。
【図２】本発明の実施の形態に係るカードコネクタを構成するハウジングを上側からみた斜視図である。
【図３】図３（ａ）は、本発明の実施の形態に係るカードコネクタを構成するシールドカバーを下側からみた斜視図である。  図３（ｂ）本発明の実施の形態に係るカードコネクタを構成するシールドカバーを上側からみた斜視図である。
【図４】図１におけるカードコネクタを構成するハウジングにカード媒体を挿入している状態を表す断面図である。
【図５】図１におけるカードコネクタを構成するハウジングの最奥位置までカード媒体を挿入した状態を表す断面図である。
【図６】図１におけるカードコネクタを構成するハウジングにカード媒体を保持した状態を表す断面図である。
【図７】従来のカードコネクタを示す斜視図である。
【図８】従来のカードコネクタを構成するハウジングの斜視図である。
【発明を実施するための形態】
【００２１】
以下、本発明の実施の形態に係るカードコネクタ１について、図面を参照して説明する。なお各図面中のｘ方向を横方向、ｙ方向正側を奥側、ｙ方向負側を手前側、ｚ方向正側を上側、ｚ方向負側を下側とする。
【００２２】
本発明の実施の形態によるカードコネクタ１は、ＳＩＭ等のメモリーカード用のプッシュプッシュタイプのカードコネクタである。
【００２３】
図１ないし図３に示すように、本発明の実施の形態に係るカードコネクタ１は、ハウジング１０とシールドカバー３０と固定コンタクト端子１３と可動コンタクト端子３１とを備えている。
【００２４】
図２は、ハウジング１０を上面側からみた斜視図である。図２に示すように、ハウジング１０は、カード支持面１１と、側壁部１２と、固定コンタクト端子１３と、奥側壁部１４と、スライダ１５と、コイルバネ１６と、ハートカム溝１７と、ロックピン１８とを有している。ハウジング１０は、液晶ポリマー等の樹脂で構成されている。
【００２５】
カード支持面１１は、略平板状の部材であり、後述するカード媒体４０を下側から支持するようになっている。カード支持面１１には、複数の開口部が設けられ、いくつかの開口部にはコンタクト１９が設けられている。本発明の実施の形態においては８つの開口部が設けられ、６つのコンタクト１９が設けられているが、挿入されるカードに応じて、必要な数の開口部およびコンタクト１９を有してよい。
【００２６】
コンタクト１９は、例えば、銅合金等の弾性を有する導電性金属板材料によって長尺状に形成されており、コンタクト１９の一方の端部は、カード媒体４０の厚さ方向に弾性変位可能な状態でカード支持面１１の上側へ突出している。
【００２７】
コンタクト１９は、カード媒体４０の一面に設けられた端子と接触することにより、カードコネクタ１を介してカード媒体４０と外部の接続基板とを電気的に接続するようになっている。
【００２８】
側壁部１２は、カード支持面１１の横方向の上面両縁部に上側へ向けて延びるように設けられている。
【００２９】
固定コンタクト端子１３は、カード支持面１１におけるカード媒体４０の挿入方向奥側に設けられた小開口部に保持されている。固定コンタクト端子１３は、例えば銅合金で構成されている。
【００３０】
奥側壁部１４は、カード支持面１１の上面の奥側縁部に、上側へ向けて延びるよう設けられている。
【００３１】
スライダ１５は、カード支持面１１の横方向の一方の縁部近傍に設けられ、カード媒体４０に押圧されて、カード媒体４０の挿入方向に移動するＬ字形の部材であり例えば、ステンレスで構成されている。
【００３２】
コイルバネ１６は、カード支持面１１の横方向の一方の縁部近傍に設けられ、スライダ１５と連動して動き、カード媒体４０の挿入方向の逆向きにスライダ１５を付勢するようになっている。コイルバネ１６は、例えばステンレスで構成されている。
【００３３】
ロックピン１８は、スライダ１５に形成されスライダ１５と連動して動く棒状の部材であり、カード媒体４０の挿入時に後述するハートカム溝１７に係合してスライダ１５を所定の位置に保持するようになっている。ロックピン１８は、例えばステンレスで構成されている。
【００３４】
ハートカム溝１７は、カード支持面１１の横方向の一方の縁部近傍に設けられ、カード媒体４０の挿入時にロックピン１８と係合するようになっている。ハートカム溝１７およびロックピン１８は、公知のプッシュプッシュタイプのロック機構を構成している。ハートカム溝１７は、往路溝１７ａ、第一奥部１７ｂ、係合溝１７ｃ、第二奥部１７ｄ、復路溝１７ｅを含んで構成されている。
【００３５】
図３（ａ）は、シールドカバー３０を下側からみた斜視図であり、図３（ｂ）はシールドカバー３０を上側からみた斜視図である。図３（ａ）に示すようにシールドカバー３０は、ストッパー壁部３３とカバー側面部３４と半田付け部３５とハウジング係合部３６とを有している。シールドカバー３０はステンレスで構成されている。
【００３６】
シールドカバー３０は、図３（ｂ）に示す上面側を上にした状態で、ハウジング１０に対し上側から装着されるようになっている。シールドカバー３０は、カバー側面部３４の間に挿入されるカード媒体４０を上側から覆うようになっている。
【００３７】
ストッパー壁部３３は、シールドカバー３０の奥側縁部に下側に向けて延びるように設けられている。図４に示すようにストッパー壁部３３は、奥側壁部１４に重なるように設けられている。
【００３８】
カバー側面部３４は、図３（ａ）および図３（ｂ）に示すようにシールドカバー３０の横方向両側に設けられており、挿入されたカード媒体４０を横方向に保持するようになっている。
【００３９】
半田付け部３５は、図３（ａ）に示すようにストッパー壁部３３の一部を図示しない印刷配線基板と平行になるように曲げて形成し延設されている。半田付け部３５は図示しない印刷配線基板に半田付けされるようになっている。
【００４０】
ハウジング係合部３６は、図３（ａ）および図３（ｂ）に示すようにシールドカバー３０の横方向両側のカバー側面部３４に設けられ、ハウジング１０と係合するようになっている。
【００４１】
可動コンタクト端子３１は、シールドカバー３０の奥側に、カード媒体４０の挿入時にカード媒体４０に押圧されカード媒体４０の挿入方向に変位するよう設けられている。可動コンタクト端子３１は例えば、ステンレス製で弾性変位可能であり、固定コンタクト端子１３に接する可動接点３２を有している。
【００４２】
図４に示すように、可動コンタクト端子３１における奥側壁部１４と平行な部分（図示左端部分）は、奥側壁部１４と干渉している。可動接点３２の位置を変えずに、図示の形状よりも奥側壁部１４と干渉している部分の長さを短くするように可動コンタクト端子３１を変形すると、ばねスパンが延長されて可動コンタクト端子３１の弾性特性が柔らかくなる方向に変化する。その一方、可動接点３２の位置を変えずに、図示の形状よりも奥側壁部１４と干渉している部分の長さを長くするように可動コンタクト端子３１を変形すると、ばねスパンが短縮されて、可動コンタクト端子３１の弾性特性が硬くなる方向に変化する。このように、可動コンタクト端子３１と奥側壁部１４との干渉の程度を適宜変更することで、ばねスパンを調整することが可能であり、所望する可動コンタクト端子３１の弾性特性を容易に得ることができる。
【００４３】
可動コンタクト端子３１は、シールドカバー３０の横方向の一方の側から、他方の側へと向かうように、シールドカバー３０の一部を折り曲げることで設けられており、シールドカバー３０と一体に形成されている。
【００４４】
可動コンタクト端子３１および固定コンタクト端子１３は、いわゆるノーマルクローズスイッチを構成しており、カード媒体４０の挿入状態を検出するようになっている。
【００４５】
次に、本実施の形態に係るカードコネクタ１の作用を説明する。
【００４６】
本実施の形態に係るカードコネクタ１には、図４に示すように、シールドカバー３０カバー側面部の間の側壁部１２の間にカード媒体４０が挿入されるようになっている。以下、側壁部１２の間にカード媒体４０が挿入されてから、カード媒体４０が保持されるまでの過程を説明する。
【００４７】
図４に側壁部１２の間にカード媒体４０を挿入し始めた状態を示す。カード媒体４０はスライダ１５を押圧し、カード媒体４０の挿入方向に移動するようになっている。
【００４８】
この状態ではカード媒体４０は可動コンタクト端子３１に接しておらず、可動コンタクト端子３１が有する弾性により、可動コンタクト端子３１の可動接点３２と固定コンタクト端子１３とが接した状態となっている。
【００４９】
次に図５は、カード媒体４０がカードコネクタ１の最奥まで挿入された状態を示す。この状態では、カード媒体４０が可動コンタクト端子３１を押圧し、カード媒体４０の挿入方向に変位させるようになっている。可動コンタクト端子３１の可動接点３２と固定コンタクト端子とが離れた状態になる。したがって、可動コンタクト端子３１および固定コンタクト端子１３で構成されるノーマルクローズスイッチは、可動コンタクト端子３１と固定コンタクト端子１３との導通の有無に基づいて、カードコネクタ１に差し込まれるカード媒体４０の挿入状態を検出することができる。
【００５０】
また、カード媒体４０は可動コンタクト端子３１を押圧し変位させ、可動コンタクト端子３１を介してカード支持面１１の奥側壁部１４に近接するようになっている。
【００５１】
また、カード媒体４０はスライダ１５を押圧し、カード媒体４０の挿入方向に移動させるが、スライダ１５の移動に伴いスライダ１５に形成されたロックピン１８がハートカム溝１７の往路溝１７ａを経由して第一奥部１７ｂまで移動する。
【００５２】
この図５の状態において、挿入方向に向けてカード媒体４０がさらに押圧された場合、その押圧力は、可動コンタクト端子３１を介して奥側壁部１４に向けて作用することになるが、上述したとおり、ストッパー壁部３３が奥側壁部１４に重なるように設けられており、押圧力に十分に耐えることができるので、変形することがない。
【００５３】
次に図６にカード媒体４０の押し込みが止められ、カードコネクタ１に保持された状態を示す。この状態は、図５におけるカード媒体４０がカードコネクタ１の最奥まで挿入された状態から、カード媒体４０の押し込みが止められ、コイルバネ１６の付勢力によりスライダ１５が手前側に押し戻され、スライダ１５と連動するロックピン１８が係合溝１７ｃに係合され、カード媒体４０がカードコネクタ１に保持されている状態である。
【００５４】
この状態においても、可動コンタクト端子３１はカード媒体４０により押圧されており、可動コンタクト端子３１の可動接点３２と固定コンタクト端子とは離れた状態にある。
【００５５】
カード媒体４０をカードコネクタ１より抜脱するには、まず図６におけるカード媒体４０が保持された状態から、カード媒体４０を挿入方向に押し込む。これにより、スライダ１５の移動に伴いロックピン１８が挿入方向に移動して第二奥部１７ｄに達する。ここでカード媒体４０の押し込みを止めると、コイルバネ１６の付勢力によりスライダ１５が手前側に押し戻され、スライダ１５と連動するロックピン１８が復路溝１７ｅを経由して初期位置に戻り、カード媒体４０がカードコネクタ１より抜脱される。
【００５６】
以上のように、本実施の形態では、カード支持面１１の上面の奥側縁部に上側に延びる奥側壁部１４を設け、シールドカバー３０の奥側の縁部に下側に向けて延びるストッパー壁部３３が奥側壁部１４に重なるように設けているので、カバー側面部３４の間にカード媒体４０が挿入され、カード支持面１１の奥側の縁部まで可動コンタクト端子３１を強く押圧した場合に奥側壁部１４が変形せず挿入されたカード媒体４０がカードコネクタ１から突出することを確実に防止できる。
【００５７】
また、本実施の形態では、可動コンタクト端子と奥側壁部との間の干渉の程度を適宜変更することで、可動コンタクト端子のばねスパンを容易に調整することができるので、所望する可動コンタクト端子の弾性特性を得るための設計自由度を向上させることができる。
【００５８】
また、本実施の形態では、可動コンタクト端子３１がシールドカバー３０と一体に形成されているので、部品点数を少なくすることができ、材料、金型、組立てに要するコストを削減できる。
【００５９】
また、本実施の形態では、シールドカバー３０のカバー側面部３４に加えて、ハウジング１０の側壁部１２によってもカード媒体４０が横方向に保持されるので、カード媒体４０を確実に保持することができる。
【００６０】
また、本実施の形態では、ストッパー壁部３３から延設した半田付け部３５が印刷配線基板に半田付けされるので、カードコネクタ１の破壊強度を向上させることができる。
【００６１】
また、本実施の形態では、ハウジング１０は、カード媒体４０に押圧されてカード媒体４０の挿入方向に移動するスライダ１５と、スライダ１５を付勢するコイルバネ１６と、スライダ１５に形成されスライダ１５を所定の位置に保持するロックピン１８と、ハートカム溝１７とを有し、ハートカム溝１７がロックピン１８に係合するので、カード媒体４０が挿入された状態で確実にハウジング１０がカード媒体４０を保持することができる。
【００６２】
なお、本発明に係るカードコネクタの技術的範囲は、上述した実施の形態に限定されるものではなく、特許請求の範囲に記載した各構成要素の種々の変更を含むものである。
【００６３】
以上説明したように、本発明に係るカードコネクタは、カードの押し込みに対する強度の高いカードストッパーを備えることができるという効果を有し、カードコネクタ全般に有用である。
【符号の説明】
【００６４】
１  カードコネクタ
１０  ハウジング
１１  カード支持面
１２  側壁部
１３  固定コンタクト端子
１４  奥側壁部
１５  スライダ
１６  コイルバネ
１７  ハートカム溝
１８  ロックピン
１９  コンタクト
３０  シールドカバー
３１  可動コンタクト端子
３２  可動接点
３３  ストッパー壁部
３４  カバー側面部
３５  半田付け部
４０  カード媒体
【図１】
2016081702.tif 000003
【図２】
2016081702.tif 000004
【図３】
2016081702.tif 000005
【図４】
2016081702.tif 000006
【図５】
2016081702.tif 000007
【図６】
2016081702.tif 000008
【図７】
2016081702.tif 000009
【図８】
2016081702.tif 000010